(57)【要約】【課題】特殊な部材を用いることなく、静電気による映像への悪影響を低減するとともに、電子部品の誤作動、破損を抑制することができる液晶表示装置を提供する。【解決手段】セルガイド６と、セルガイド６の上部に配置された液晶セル７と、液晶セル７の長辺に取り付けられた第１基板７１と、短辺に取り付けられた第２基板７２と、開口部８０と、セルガイド６の外側面に回りこむ側壁部８１とを備え、金属で形成されたベゼル８とを有し、ベゼル８の側壁部８１は第１基板７１又は第２基板７２に形成された複数の接地部７１１、７２１のうち少なくとも一つの接地部を覆う端子部８１１が形成されており、端子部８１１と端子部８１１が覆う接地部とを締結部材Ｂｔにて共締めする液晶表示装置。【選択図】図１
2008116495.tif 000002
【特許請求の範囲】
【請求項１】
リヤフレームと、
前記リヤフレームの底面に取り付けられる反射シートと、
前記反射シートの上方に配置されるＵ字状のバックライトと、
前記バックライトを支持するライトフレームと、
前記ライトフレーム上に配置され前記バックライトより出射された光及び前記反射シートにて反射された光を均一化する拡散板と、
前記拡散板に重ねて配置される２枚の拡散シートと、
前記拡散板の外周部を押える枠状のセルガイドと、
前記セルガイドの上部に配置され、透明電極が配設された一対のガラス基板間に液晶が封入された液晶セルと、
前記液晶セルの長辺にフレキシブル基板を介して取り付けられ一方のガラス基板に配設された前記透明電極に電力を供給するゲート基板と、
前記液晶セルの短辺にフレキシブル基板を介して取り付けられ他方のガラス基板に配設された前記透明電極に電力を供給するソース基板と、
中央に形成された開口部と、外周部に前記セルガイドの外側面に回りこむ側壁部とを備え、金属で形成されたベゼルとを有する液晶表示装置であって、
前記ゲート基板は接地部と、前記接地部を貫通するねじ孔とを有しており、
前記ソース基板は接地部と、前記接地部を貫通するねじ孔とを有しており、
前記ベゼルの側壁部は前記ゲート基板及びソース基板の接地部をそれぞれ覆い、貫通孔を備えた端子部が形成されており、
前記ベゼルは前記端子部が前記ゲート基板及び前記ソース基板の接地部と接触しつつ、該ゲート基板及び該ソース基板と前記セルガイドにボルトにて共締めされていること特徴とする液晶表示装置。
【請求項２】
枠状のセルガイドと、
前記セルガイドの上部に配置され、透明電極が配設された一対のガラス基板間に液晶が封入された液晶セルと、
前記液晶セルの長辺に取り付けられ一方のガラス基板に配設された前記透明電極に電力を供給する第１基板と、
前記液晶セルの短辺に取り付けられ他方のガラス基板に配設された前記透明電極に電力を供給する第２基板と、
中央に形成された開口部と、外周部に前記セルガイドの外側面に回りこむ側壁部とを備え、金属で形成されたベゼルとを有する液晶表示装置であって、
前記ベゼルの側壁部は前記第１基板又は第２基板に形成された複数の接地部のうち少なくとも一つの接地部を覆う端子部が形成されており、
前記端子部が覆う接地部には締結部材が貫通する貫通孔が形成されており、
前記ベゼルは前記端子部が覆う接地部とを締結部材にて前記セルガイドに共留めされていること特徴とする液晶表示装置。
【請求項３】
前記ベゼルは前記第１基板及び前記第２基板それぞれに形成された接地部を覆う端子部を複数備えており、前記端子部は前記第１基板及び前記第２基板のそれぞれの接地部と締結部材にて共留めされることを特徴とする請求項２に記載の液晶表示装置。
【請求項４】
前記締結部材はボルトであることを特徴とする請求項２又は請求項３に記載の液晶表示装置。
【発明の詳細な説明】
【技術分野】
【０００１】
本発明は、液晶表示装置に関するものであり、より詳しくは、バックライトの光を反射する反射シートをケースに取り付ける取り付け構造に関する。
【背景技術】
【０００２】
液晶表示装置は、薄型、軽量、低消費電力であり、ノートＰＣ、ＰＣ用モニタ、家庭用ＴＶ受像機等に広く用いられている。
【０００３】
図５に液晶表示装置の分解斜視図を示す。図５に示す液晶表示装置は、リヤフレーム１の正面側に反射シート３、バックライト４、拡散板４、拡散シート５、セルガイド６、液晶セル７、ベゼル９がこの順番に配置されている。
【０００４】
リヤフレーム１及びベゼル９は、拡散板４、拡散シート５及び液晶セル７が外力を受けても、平面曲げが発生しないだけの強度が必要であり、それには限定されないがここでは、金属板を切り曲げることで形成されている。
【０００５】
反射シート２はリヤフレーム１の正面側の凹部に密着して配置される白色のシートである。反射シート２はバックライト３より出射された光を反射させるものである。バックライト３は液晶表示装置の光源であり、それには限定されないがここでは陰極管である。バックライト３は一方の端部に形成されたＵ字状の折り返し部と、他方の端部に管の開口をふさぐように配置されたソケットとを有している。バックライト３は折り返し部の近傍とソケットの近傍をライトフレーム３３で押さえられ、リヤフレーム１に固定されている。
【０００６】
拡散板４及び拡散シート５は矩形状を有しており、反射シート２で反射された光及びバックライト３より出射された光が均一又はほぼ均一になるように拡散させる部材である。拡散板４はライトフレーム３３に形成されている段差部と係合することで、配置されている。
【０００７】
ライトフレーム３３の上に配置された拡散板４及び拡散シート５の上からセルガイド６が取り付けられ、拡散板４及び拡散シート５を押さえている。セルガイド６は樹脂で形成されており、長枠部と短枠部とを連結して形成される、矩形状の枠体である。セルガイド６は枠体で拡散板４及び拡散シート５の外周部を押さえる。セルガイド６の上面には段差部が形成されており、液晶セル７はこの段差部に係合され位置決めされる。セルガイド６はリヤフレーム１及びライトフレーム３３にボルト留めにて固定される。また、セルガイド６は枠状の形状であり、中央部に開口６０が形成されている。
【０００８】
拡散板４及び拡散シート５で拡散された光はセルガイド６の中央の開口６０より液晶セル７に照射される。液晶セル７は透明電極が配置されたガラス基板の間に液晶が封入されている。液晶セル７は長方形状を有しており、一方のガラス基板の一方の長辺部にはゲートドライバが取り付けられたゲート基板７１がＦＰＣを介して取り付けられている。また、他方のガラス基板の一方の短辺部にはソースドライバが取り付けられたソース基板７２がＦＰＣを介して取り付けられている。
【０００９】
ゲート基板７１及びソース基板７２はセルガイド６の外側面に固定されている。セルガイド６の正面側より、ベゼル９が配置される。ベゼル９は中央に形成された開口部９０を有しており、外周部にセルガイド６の外側面に回りこむ側壁部９１が形成されている。ベゼル９は正面側よりセルガイド６にボルト留めにて固定されている。液晶セル７はベゼル９の開口部９０より露出しており、その露出している部分が表示領域になるように形成されている。
【００１０】
図５に示す液晶表示装置では、ベゼル９は樹脂製のセルガイド６に上面側よりボルトで取り付けられるものであり、いわゆる電気的に浮いた状態になっている。このようにベゼル９が電気的に浮いた状態では静電気が蓄積され、ベゼル９の近傍に配置されているゲートドライバ又はソースドライバに放電することで、ゲートドライバ又はソースドライバの動作に悪影響を与え、最悪の場合、ゲートドライバ又はソースドライバを破損してしまうこともある。
【００１１】
そこで、特開２００３−２９６５０号公報、特開平１１−２７１７９６号公報、特開２００１−３１２２１７号公報等に記載の発明では、ベゼルを接地するものが示されている。ベゼルを接地することで、ベゼルに静電気が蓄積されるのを抑制することができる。
【００１２】
また、特開２００２−１１６７０１号公報では、ベゼルに蓄積された静電気を基板上に設けられた電子部品の外装に放電させるように、ベゼルのエッジ部が基板の信号配線用利も、電子部品に近くなるように形成するものが示されている。
【特許文献１】特開２００３−２９６５０号公報
【特許文献２】特開平１１−２７１７９６号公報
【特許文献３】特開２００１−３１２２１７号公報
【特許文献４】特開２００２−１１６７０１号公報
【発明の開示】
【発明が解決しようとする課題】
【００１３】
しかしながら、特開２００３−２９６５０号公報、特開平１１−２７１７９６号公報、特開２００１−３１２２１７号公報に記載の発明では、予めベゼルの接地を行う必要があり、前記ベゼルを別途筐体の接地点に電気的に取り付けなければならず、それだけ、製造に手間と時間がかかる。
【００１４】
また、前記ベゼルとプリント基板とを接続するための部材が必要であり、それだけ、部材点数が増える。
【００１５】
また、特開２００２−１１６７０１号公報に記載の発明では、ベゼルに蓄積された静電気を、電子部品の表面に放電させたときに、放電された電荷が別の電子部品や回路に悪影響を及ぼす可能性がある。
【００１６】
そこで本発明は、特殊な部材を用いることなく、ベゼルに静電気を蓄積するのを抑制することで、静電気による映像への悪影響を低減するとともに、電子部品の誤作動、破損を抑制することができる液晶表示装置を提供することを目的とする。
【００１７】
また、液晶表示装置の外部からの放電による電荷によって、内部に配置されている電子部品の誤作動、破損等を抑制することができる液晶表示装置を提供することを目的とする。
【課題を解決するための手段】
【００１８】
上記目的を達成するために本発明は、枠状のセルガイドと、前記セルガイドの上部に配置され、透明電極が配設された一対のガラス基板間に液晶が封入された液晶セルと、前記液晶セルの長辺に取り付けられ一方のガラス基板に配設された前記透明電極に電力を供給する第１基板と、前記液晶セルの短辺に取り付けられ他方のガラス基板に配設された前記透明電極に電力を供給する第２基板と、中央に形成された開口部と、外周部に前記セルガイドの外側面に回りこむ側壁部とを備え、金属で形成されたベゼルとを有する液晶表示装置であって、前記ベゼルの側壁部は前記第１基板又は第２基板に形成された複数の接地部のうち少なくとも一つの接地部を覆う端子部が形成されており、前記端子部が覆う接地部には締結部材が貫通する貫通孔が形成されており、前記ベゼルは前記端子部が覆う接地部とを締結部材にて前記セルガイドに共留めされていること特徴とする。
【００１９】
この構成によると、ベゼルの端子部と第１基板又は第２基板の接地部の少なくともひとつが接触するように締結部材で共留めするので、効果的に前記ベゼルの接地を行うことができる。これにより、静電荷の電界による誘導、大気中のイオン、帯電した人との接触等が原因で前記ベゼルに電荷が蓄積され、その蓄積された電荷が放電するときの、映像の乱れ、電子部品の誤動作及び破損等の不具合が発生するのを低減することができる。
【００２０】
また、前記ベゼルと前記第１基板又は前記第２基板とを締結部材にて共留めするので、締結部材を減らすことができ、それだけ、部品点数を減少させることができるとともに、製造に必要な手間と時間を低減することが可能である。
【００２１】
また、外部からの静電気が接地されたベゼルのほうに放電されやすくなるので、前記液晶表示装置の基板、液晶セル等に搭載されている電子部品に放電するのを抑制することができる。
【００２２】
上記構成において、前記ベゼルは前記第１基板及び前記第２基板それぞれに形成された接地部を覆う端子部を複数備えており、前記端子部は前記第１基板及び前記第２基板のそれぞれの接地部と締結部材にて共留めされるものであってもよい。
【００２３】
この構成によると、前記第１基板及び前記第２基板の両方の接地部と前記ベゼルとを接触させるので、どちらか一方の基板の接地部と前記ベゼルの端子部とを接触させる場合に比べて接地の効果が高くなり、より前記ベゼルに電荷が蓄積するのを抑制することができる。
【００２４】
上記構成において、前記締結部材としてボルトを挙げることができる。また、ボルト以外にも、円柱部より径方向に三角翼形状の逆止め部が張り出しており、押し込むことで逆止め部が格納され、最も置くまで押し込まれたときに逆止め部が再度せり出して、固定することができる部材等、取付を簡単に行うことができるものを広く採用することができる。
【００２５】
本発明にかかる液晶表示装置のさらに詳細な例は、以下に示すものであってもよい。リヤフレームと、前記リヤフレームの底面に取り付けられる反射シートと、前記反射シートの上方に配置されるＵ字状のバックライトと、前記バックライトを支持するライトフレームと、前記ライトフレーム上に配置され前記バックライトより出射された光及び前記反射シートにて反射された光を均一化する拡散板と、前記拡散板に重ねて配置される２枚の拡散シートと、前記拡散板の外周部を押える枠状のセルガイドと、前記セルガイドの上部に配置され、透明電極が配設された一対のガラス基板間に液晶が封入された液晶セルと、前記液晶セルの長辺にフレキシブル基板を介して取り付けられ一方のガラス基板に配設された前記透明電極に電力を供給するゲート基板と、前記液晶セルの短辺にフレキシブル基板を介して取り付けられ他方のガラス基板に配設された前記透明電極に電力を供給するソース基板と、中央に形成された開口部と、外周部に前記セルガイドの外側面に回りこむ側壁部とを備え、金属で形成されたベゼルとを有する液晶表示装置であって、前記ゲート基板は接地部と、前記接地部を貫通するねじ孔とを有しており、前記ソース基板は接地部と、前記接地部を貫通するねじ孔とを有しており、前記ベゼルの側壁部は前記ゲート基板及びソース基板の接地部をそれぞれ覆い、貫通孔を備えた端子部が形成されており、前記ベゼルは前記端子部が前記ゲート基板及び前記ソース基板の接地部と接触しつつ、該ゲート基板及び該ソース基板と前記セルガイドにボルトにて共締めされている。
【発明の効果】
【００２６】
本発明によると、特殊な部材を用いることなく、ベゼルに静電気が蓄積するのを抑制することで、静電気による映像への悪影響を低減するとともに、電子部品の誤作動、破損を抑制することができる液晶表示装置を提供することができる。
【００２７】
また本発明によると、液晶表示装置の外部からの放電による電荷によって、内部に配置されている電子部品の誤作動、破損等を抑制することができる液晶表示装置を提供することができる。
【発明を実施するための最良の形態】
【００２８】
以下に本発明の実施形態を図面を参照して説明する。図１は本発明にかかる液晶表示装置の一例の分解斜視図であり、図２は図１に示す液晶表示装置のベゼルの平面図であり、図３は図２に示すベゼルの正面図であり、図４は液晶表示装置が組み立てられた状態の接地部を拡大した断面図である。ベゼルが異なる以外は、図５に示す従来の液晶表示装置と同じであり実質上同じ部分には同一の符号が付してある。図１に示す液晶表示装置はリヤフレーム１、反射シート２、バックライト３、拡散板４、拡散シート５、セルガイド６、液晶セル７、ベゼル８がこの順番に積層されている。
【００２９】
リヤフレーム１及びベゼル８は液晶表示装置がねじれたり、折れたりするのを防ぐために金属で形成されている。リヤフレーム１は金属板を切り曲げて形成されているものであり、矩形状の底面１１が形成されている。
【００３０】
反射シート２はリヤフレーム１の底面１１に取り付けられるものであり、バックライト３より出射される光のうちケース１側に向けて出射される光を液晶セル６側に反射し、バックライト３より出射される光の無駄を防ぐためのものである。反射シート２は長方形状を有しており、底面１１に接着テープにて接着されている。接着テープに限定されるものではなく、反射シート２をリヤフレーム１にずれないように固定することのできる方法を広く採用することができる。
【００３１】
バックライト３は液晶表示装置の光源であり、それには限定されないがここではＵ字状の形状の陰極管３０と、陰極管３１の両端部を保持するとともに電力を供給するためのソケット３１とを有している。陰極管３０は中央でＵ字状に折り返す折り返し部３２を有しており、バックライト３は折り返し部３２の近傍とソケット３１の近傍をライトフレーム３３で押さえられていることで、リヤフレーム１に固定されている。ソケット３１には図示を省略しているが、電力を供給するための配線が接続されている。バックライト３はそれには限定されないがここでは、陰極管３０を２個備えたものである。
【００３２】
拡散板４及び拡散シート５は矩形状を有しており、反射シート２で反射された光及びバックライト３より出射された光が均一又はほぼ均一になるように拡散させる部材である。拡散板４はライトフレーム３３に形成されている段差部と係合することで、位置決めされている。拡散板４はバックライト３より出射された光及び反射シート２にて反射された光を拡散させ光の強度を均一化するものである。拡散シート５は拡散板４からの光の均一度をよりいっそう高めるためのものである。光の均一度を十分に高めることができる拡散板４を用いることができる場合、拡散シート５を省略しても良い。
【００３３】
ライトフレーム３３の上に配置された拡散板４及び拡散シート５の上からセルガイド６が取り付けられ、拡散板４及び拡散シート５を押さえている。セルガイド６は樹脂で形成されており、長枠部６１と短枠部６２とを連結して形成された、矩形状の枠体である。セルガイド６は枠体で拡散板４及び拡散シート５の外周部を押さえる。セルガイド６の上面には段差部が形成されており、液晶セル７はこの段差部に係合され位置決めされる。セルガイド６はリヤフレーム１及びライトフレーム３３にボルト留めにて固定される。また、セルガイド６は枠状の形状であり、中央部に開口６０が形成されている。
【００３４】
拡散板４及び拡散シート５で拡散された光はセルガイド６の中央の開口６０より液晶セル７に照射される。液晶セル７は透明電極が配置されたガラス基板の間に液晶が封入されている。液晶セル７は長方形状を有しており、一方のガラス基板の一方の長辺部にはゲートドライバが取り付けられたゲート基板７１がフレキシブル基板７０を介して取り付けられている。また、他方のガラス基板の一方の短辺部にはソースドライバが取り付けられたソース基板７２がフレキシブル基板７０を介して取り付けられている。ゲート基板７１及びソース基板７２にはそれぞれ、接地部７１１、７２１が形成されている。接地部７１１、７２１はそれには限定されないが、ゲート基板７１及びソース基板７２の表面に形成された接地パターン配線であり、ゲート基板７１及びソース基板７２には、各基板を貫通するとともに、パターン配線である接地部７１１、７２１の一部を貫通する貫通孔７１２、７２２が形成されている。
【００３５】
ベゼル８は中央に形成された開口部８０を有しており、外周部にセルガイド６の外側面に回りこむ側壁部８１が形成されている。液晶セル７はベゼル８の開口部８０より露出しており、その露出している部分が表示領域になるように形成されている。
【００３６】
側壁部８１には、他の部分よりも延伸して形成された端子部８１１と、外側に向けて突出した保持部８１２とが一体的に形成されている。端子部８１１及び保持部８１２には貫通孔が形成されている。端子部８１１はベゼル８をセルガイド６に固定するときに用いられる取付部であり貫通孔８１３を備えている。また、保持部８１２は液晶表示装置の筐体（図示省略）にボルト留めするための取付部であり、貫通孔８１４を有している。
【００３７】
液晶セル７のゲート電極７１はセルガイド６の外側面に固定されるものである。液晶表示装置では側壁部８１がゲート電極７１の一部と重なるように、ベゼル８が取り付けられている。ベゼル８の端子部８１１はゲート基板７１の接地部７１１と重なるように、側壁部８１より延伸した形状を有しており、接地部７１１の貫通孔７１２と側壁部８１の貫通孔８１３が重なるように配置され、ボルトＢｔを用いてセルガイド６の外側面に共締めされる。このとき、セルガイド６には雌ねじが形成されたナット部Ｎｔが形成されていることが好ましい。
【００３８】
ベゼル８とゲート基板７１とをボルトＢｔで共締めすることで、ベゼル８の端子部８１１がゲート基板７１の接地部７１１が接触した状態で固定されるので、ベゼル８が接地される。このように、ベゼル８が接地されることで、ベゼル８に静電気が蓄積されるのを抑制することができ、静電気による映像の乱れや、静電気が放電されることで発生するゲート基板７１の誤動作、破損の発生を抑制することが可能である。
【００３９】
なお、ゲート基板７１とベゼル８とを共締めするものを例に説明しているが、ソース基板７２の貫通孔７２２とベゼル８の端子部８１１の貫通孔８１３とも同様にボルトで共締めして、ベゼル８とソース基板７２の接地部７２１とを接触するようにしてもよい。ベゼル８をソース基板７２の接地部７２１とも接触するように固定することで、接地点をふやすことができ、それだけ、ベゼル８の接地レベルを安定させることができる。また、ゲゼル８が構造上、ゲート基板７１、ソース基板７２両方と共締めするのが難しい場合、少なくとも一方の接地部７１１、７２１と接触するように共締めされるものとしてもよい。
【００４０】
上記実施例において、ゲート基板７１、ソース基板７２に接地部７１１、７２１がそれぞれ１個ずつ備えられているものを挙げて説明しているが、それに限定されるものではなく、各基板に複数の接地部が形成されており、その接地部と接触するようにベゼルの端子部が形成されており、すべての接地部と端子部とが共締めされるものであってもよい。
【００４１】
ベゼル８と、ゲート基板７１、ソース基板７２とを共留めするものとして、ボルトＢｔを例に説明しているが、それに限定されるものではなく、着脱可能な締結部材（たとえば、側面に翼状の戻り止め部を備えたピン等）を広く採用することができる。ベゼル８の端子部８１１と接地部７１１及び（又は）７２１が直接接触することができるものであれば、締結部材（本発明におけるボルト）は絶縁性を有する素材であってもよい。
【００４２】
上述の各実施例では光源として陰極管３０を用いるものを例に説明しているが、それに限定されるものではなく、液晶セル６に十分な光を入射させることができる光源を広く採用することができるが、発熱量の少ないものが好ましい。また、光源であるバックライト３としてＵ字状の陰極管３０を有するものを例に説明しているが、それに限定されるものではなく、液晶セル６に十分且つ偏らないように光を入射させることができるものを広く採用することができる。また、液晶表示装置として、光源であるバックライト３を２個備えたものを例に説明しているが、それに限定されるものではなく、液晶セル６に十分且つ偏らないように光を入射させることができる個数のものを広く採用することができる。
【００４３】
以上、発明の実施形態を具体的に説明したが、本発明は上記実施形態に限定するものではなく、その要旨を逸脱しない範囲で種々変更可能である。
【産業上の利用可能性】
【００４４】
本発明は、液晶ディスプレイ等の液晶表示装置において適用することができる。
【図面の簡単な説明】
【００４５】
【図１】本発明にかかる液晶表示装置の一例の分解斜視図である。
【図２】図１に示す液晶表示装置のケースに反射シート、蛍光ランプ及びソケットカバーを取り付けた状態の正面図である。
【図３】図２に示すケースのランプソケット近傍を拡大した縦断面図である。
【図４】図２に示すケースのランプソケット近傍を拡大した横断面図である。
【図５】従来の液晶表示装置の一例の分解斜視図である。
【符号の説明】
【００４６】
１  リヤフレーム
１１  底面
２  反射シート
３  バックライト
３０  陰極管
３１  ソケット
３３  ライトフレーム
４  拡散板
５  拡散シート
６  セルガイド
７  液晶セル
７１  ゲート基板
７２  ソース基板
８  ベゼル
８１  側壁部
８１１  端子部
８１２  貫通孔
【図１】
2008116495.tif 000003
【図２】
2008116495.tif 000004
【図３】
2008116495.tif 000005
【図４】
2008116495.tif 000006
【図５】
2008116495.tif 000007